(57)【要約】【課題】より有効利用の図れる階段構造、およびその階段構造を備えた建物を提供する。【解決手段】上階と下階とを接続する階段構造１Ａであって、上層と下層との間に配され枠状に形成された胴差２と、その胴差２に支持されるとともに、下階から胴差２内部を経て上階まで伸びる階段本体１と、胴差２内部に階段本体１と隣接して設けられ、階段本体１に面して開口１３が形成された第一の収納空間部１０ａと、階段本体１に隣接するとともに、胴差２と連続する壁３とを備えることを特徴としている。【選択図】図１
2015196952.tif 000002
【特許請求の範囲】
【請求項１】
上階と下階とを接続する階段構造であって、
上層と下層との間に配され枠状に形成された胴差と、
前記胴差に支持されるとともに、下階から前記胴差内部を経て上階まで伸びる階段本体と、
前記胴差内部に前記階段本体と隣接して設けられ、前記階段本体に面して開口が形成された第一の収納空間部と、
前記階段本体に隣接するとともに、前記胴差と連続する壁と、
を備えることを特徴とする階段構造。
【請求項２】
請求項１に記載の階段構造において、
前記階段本体は、踊り場を有し、前記収納空間部の床面は、前記踊り場の床面と略同一平面上に位置していることを特徴とする階段構造。
【請求項３】
請求項１または請求項２に記載の階段構造において、
前記第一の収納空間部の少なくとも下または上に設けられ、胴差の外側に向けて開口が形成された第二の収納空間部を有していることを特徴とする階段構造。
【請求項４】
請求項３に記載の階段構造において、
前記第二の収納空間部が第一の収納空間部の上に設けられ、該第二の収納空間部の床板が、前記第一の収納空間部の天井板を兼ねていることを特徴とする階段構造。
【請求項５】
請求項１乃至４のいずれか一項に記載の階段構造において、
前記壁から離間するとともに、前記階段本体と前記第一の収納空間部との間に設けられた柱を備えることを特徴とする階段構造。
【請求項６】
請求項１乃至５のいずれか一項に記載の階段構造において、
前記胴差内部に設けられ、上階と下階とを連通するシャフトスペースを備えることを特徴とする階段構造。
【請求項７】
請求項１乃至６のいずれか一項に記載の階段構造において、
前記階段本体は、下階から前記胴差内部を経て上階まで伸びて平面視において折れ曲がる折れ曲がり部を有し、前記第一の収納空間部は、前記階段本体の折れ曲り部の内側に設けられていることを特徴とする階段構造。
【請求項８】
請求項１乃至７のいずれか一項に記載の階段構造において、
前記第一の収納空間部又は前記第二の収納空間部は、トイレ、洗面所あるいは書斎等の所定用途の空間として用いられることを特徴とする階段構造。
【請求項９】
請求項１乃至請求項８のいずれか一項に記載の階段構造を備えることを特徴とする建物。
【発明の詳細な説明】
【技術分野】
【０００１】
本発明は、階段構造およびその階段構造を備えた建物に関する。
【背景技術】
【０００２】
従来の階段構造としては、例えば特許文献１に示されるように、１坪＋１ｍ２以内のほぼ１坪の広さの４角形の設置スペースに１坪階段が設けられ、その階段の上階側階段部分の下方にトイレ室を備えたものが知られている。また、特許文献２には、階段の折れ曲がり部を活用して、階上床と階下天井との間を収納部として利用できるようにしたものが開示されている。
【先行技術文献】
【特許文献】
【０００３】
【特許文献１】特許第４９１６０７２号公報
【特許文献２】特開２０００−１９２６４５号公報
【発明の概要】
【発明が解決しようとする課題】
【０００４】
従来の階段構造は、上記特許文献１に示されるように、階段付近に設けられる空間をトイレ室として利用し、また、上記特許文献２に示されるように、階段付近に収納スペースを設けて、階段周りに形成される空間を利用するようにしている。しかしながら、近年の階段構造は、従来以上の有効利用が図れること、およびそのような階段構造を備えた建物の出現が待たれていた。
【０００５】
そこで、本発明は、上記要望に応えるためになされたものであって、その目的は、より有効利用の図れる階段構造、およびその階段構造を備えた建物を提供することにある。
【課題を解決するための手段】
【０００６】
本発明に係る階段構造は、上記目的を達成するために、上階と下階とを接続する階段構造であって、上層と下層との間に配され枠状に形成された胴差と、その胴差に支持されるとともに、下階から前記胴差内部を経て上階まで伸びる階段本体と、前記胴差内部に前記階段本体と隣接して設けられ、前記階段本体に面して開口が形成された第一の収納空間部と、前記階段本体に隣接するとともに、前記胴差と連続する壁とを備えることを特徴としている。
上記階段構造は、階段本体は、胴差と連続する壁に隣接していることにより、この壁に支持されるため、階段構造を堅牢にすることができる。
また、第一の収納空間部は、階段本体に面して開口が形成されていることにより、階段本体から使用することができる。そして、下階の床面よりも高い位置から第１収納空間部を使用することができるため、下階の床面からでは手の届きにくい高い位置にも容易に手が届き、第１収納空間部を有効に活用することができる。
【０００７】
本発明に係る階段構造は、階段本体は踊り場を有し、収納空間部の床面はその踊り場の床面と略同一平面上に位置していることを特徴としている。
上記階段構造は、収納空間部の床面が踊り場の床面と略同一平面上に位置しているから、踊り場から収納空間部への出入りを容易に行うことができる。
【０００８】
本発明に係る階段構造は、第一の収納空間部の少なくとも下または上に設けられ、胴差の外側に向けて開口が形成された第二の収納空間部を有していることを特徴としている。
上記階段構造は、第二の収納空間部の開口が胴差の外側に向けて開口が形成されているため、第二の収納空間部へのアクセスを容易に行うことができる。
【０００９】
本発明に係る階段構造は、第二の収納空間部が第一の収納空間部の上に設けられ、その第二の収納空間部の床板が、その第一の収納空間部の天井板を兼ねていることを特徴としている。
上記階段構造は、第二の収納空間部の床板が第一の収納空間部の天井板を兼ねているため、収納容積の大きな第一の収納空間部を容易に作ることができる。
【００１０】
本発明に係る階段構造は、壁から離間するとともに、階段本体と第一の収納空間部との間に設けられた柱を備えることを特徴としている。
上記階段構造は、階段本体は壁から離間して設けられる柱を用いて構成されているため、階段本体を支持することができる。
【００１１】
本発明に係る階段構造は、胴差内部に設けられ、上階と下階とを連通するシャフトスペースを備えることを特徴としている。
上記階段構造は、シャフトスペースを有しているため、そのシャフトスペースを利用して給排水管や電線等を容易に敷設することができる。
【００１２】
本発明に係る階段構造は、階段本体は下階から胴差内部を経て上階まで伸びて平面視において折れ曲がる折れ曲がり部を有し、第一の収納空間部は階段本体の折れ曲り部の内側に設けられていることを特徴としている。
上記階段構造は、階段本体は折れ曲がり部を有した二段式であるから、上り降りの容易な階段構造とすることができる。
【００１３】
本発明に係る階段構造は、第一の収納空間部又は第二の収納空間部は、トイレ、洗面所あるいは書斎等の所定用途の空間として用いられることを特徴としている。
上記階段構造は、第一の収納空間部又は第二の収納空間部は、トイレ等に利用することができる特長を有している。
【００１４】
本発明に係る建物は、上記目的を達成するために、上述したいずれかに記載の階段構造を備えることを特徴としている。
上記建物は、その建物内に設けられる階段構造および収納空間部が胴差と連続する壁の内側に設けられるから、階段構造を堅牢にするとともに、収納容積の大きな収納空間部が得られるため、その収納空間部をトイレ、洗面所あるいは書斎等の所定用途に利用することができる。
【発明の効果】
【００１５】
本発明に係る階段構造は、階段本体は、胴差と連続する壁に隣接していることにより、この壁に支持されるため、階段構造を堅牢にすることができる。また、第一の収納空間部は、階段本体に面して開口が形成されていることにより、階段本体から使用することができる。そして、下階の床面よりも高い位置から第１収納空間部を使用することができるため、下階の床面からでは手の届きにくい高い位置にも容易に手が届き、第１収納空間部を有効に活用することができる。
また、本発明に係る建物は、その建物内に設けられる階段構造および収納空間部が胴差と連続する壁の内側に設けられるから、階段構造を堅牢にするとともに、収納容積の大きな収納空間部が得られるため、その収納空間部をトイレ、洗面所あるいは書斎等の所定用途に利用することができる。
【図面の簡単な説明】
【００１６】
【図１】本発明の第１実施形態に係る階段構造を備えた建物の一部分の断面図である。
【図２】図１のＸ−Ｘ線断面図である。
【図３】本発明の第２実施形態に係る階段構造の階段空間の断面図である。
【図４】（a）は、本発明の第３実施形態に係る階段構造の階段空間の一階部分の平面図、（ｂ）は、その二階部分の平面図である。
【図５】（a）は、本発明の第４実施形態に係る階段構造の階段空間の一階部分の平面図、（ｂ）は、階段本体の踊り場から見たときの平面図、（ｃ）は、二階部分から見たときの平面図である。
【発明を実施するための形態】
【００１７】
（第１実施形態）
以下、本発明の第１実施形態について図面を用いて説明する。なお、本発明は、この実施の形態により限定されるものではなく、また、下記の第１実施形態における構成要素には、当業者が置換可能かつ容易なもの、あるいは実質的に同一ものも含まれる。
【００１８】
図１は、本発明の第１実施形態に係る階段構造Ａ１を備えた建物Ｂのうち、その階段構造部分Ａ１の断面図、図２は、図１のＸ−Ｘ線断面図である。
この建物Ｂは、二階建ての住宅からなり、各階には居室用の部屋Ｒ，Ｒ…がそれぞれ設けられているとともに、一階と二階とを接続する階段構造Ａ１を備えている。
階段構造Ａ１は、一階と二階との間に配され平面視略長方形の枠状に形成された胴差２と、胴差２に支持されるとともに一階から胴差２内部を経て上階まで伸びる階段本体と、胴差２内部に階段本体１と隣接して設けられた第一の収納空間部および第二の収納空間部と、階段本体に隣接するとともに胴差２と連続する耐力壁（壁）３と、を備えている。
ここで、胴差２に囲まれて、階段本体と収納空間部とが配された空間を階段空間Ｓとして、以下説明する。
【００１９】
階段空間Ｓは、建物Ｂの一階および二階に連通する空間で、平面視において略長方形状に形成されている。
階段本体１は、階段空間Ｓ内の一方側（図１において右側）の壁３と隣接するように設けられている。この階段本体１と隣接する壁３は、胴差２と連続していて、階段本体１を支持している。
また、階段本体は、階段空間Ｓ内の他方側（図１において左側）の壁３との間に所定の間隔を保って設けられていて、階段空間Ｓ内の他方側の壁３と階段本体１との間隔には、３つの収納空間部１０ａ，１０ｂ，１０ｃが上下方向に配列されている。
【００２０】
階段本体１は、一階の床面の高さＦ１と二階の床面の高さＦ２と間の高さに、踊り場１ｃが設けられ、図２に示されるように、平面視においてコの字状に折れ曲がる階段で、この踊り場１ｃと、踊り場１ｃよりも下側の第１階段部１ａと、踊り場１ｃよりも上側の第２階段部１ｂと、を有している。
【００２１】
第１階段部１ａは、所定の幅および段数からなり、その下端が一階の床面の高さＦ１に配置され、その上端が踊り場１ｃの高さＦ３に配置されている。また、第２階段部１ｂは、所定の幅および段数からなり、その下端が踊り場１ｃの高さＦ３に配置され、その上端が二階の床面の高さＦ２に配置されている。
【００２２】
階段空間Ｓ内の一方側の壁３と階段本体１との間に形成される空間には、２個の収納空間部１０ａ，１０ｂが形成されている。このうち、収納空間部１０ａは、本発明の第一の収納空間部に相当し、収納空間部１０ｂは、本発明の第二の収納空間部に相当する１０ｂに相当している。
【００２３】
３つの収納空間部１０ａ，１０ｂ，１０ｃのうちの収納空間部１０ａは、本発明の第一収納空間部に相当し、踊り場１ｃの高さＦ３と略高さの床１１と、二階の床面の高さＦ２よりも上側に配置された天井１２とを有している。また、収納空間部１０ａは、踊り場１ｃ側に開口１３が形成されていて、この開口１３には建具１３ａが設けられている。
また、収納空間部１０ｂは、本発明の第二収納空間部に相当し、上述した収納空間部１０ａの下側に設けられている。収納空間部１０ｂは、一階の床面の高さＦ１と同じ高さの床１４を有するとともに、収納空間部１０ａの床１１を直天井として構成されている。また、収納空間部１０ｂには、階段本体に対向しない側に開口１５が形成されていて、この開口には建具１５ａが設けられている。
また、収納空間部１０ｃは、本発明の第二収納空間部に相当し、上述した収納空間部１０ａの上側に設けられている。収納空間部１０ｂは、二階の床面の高さＦ１よりも上側に配置された床１６と二階の天井の高さと同じ高さに配置された天井（不図示）とを有している。この収納空間部１０ｃの床１６は、収納空間部１０ａの直天井１２として構成されている。また、収納空間部１０ｃには、階段本体に対向しない側に開口１７が形成されていて、この開口には建具１７ａが設けられている。
【００２４】
次に、上述した第１実施形態による階段構造Ａ１の作用・効果について図面を用いて説明する。
上述した第１実施形態による階段構造Ａ１によれば、階段本体は、胴差と連続する壁に隣接していることにより、この壁に支持されるため、階段構造を堅牢にすることができる。
また、収納空間部１０ａは、階段本体１に面して開口１３が形成されていることにより、階段本体１から使用することができる。そして、一階の床面の高さＦ１よりも高い位置から収納空間部１０ａを使用することができるため、一階の床面からでは手の届きにくい高い位置にも容易に手が届き、収納空間部１０ａを有効に活用することができる。
また、収納空間部１０ａの上側および下側には、収納空間部１０ｂ，１０ｃが設けられていることにより、多くの収納スペースを確保することができる。
【００２５】
また、収納空間部１０ａ，１０ｂの天井は、直上にある収納空間部１０ｃ，１０ａの床が直天井として構成されているため、直上にある収納空間部１０ｃ，１０ａの床の下側に天井板が設けられている場合と比べて、収納空間部１０ａ，１０ｂの天井高を高くすることができるとともに、収納空間部１０ａ，１０ｂの容積を大きくすることができる。
なお、収納空間部１０ａは、単なる収納スペースとしてだけでなく、中二階の部屋として利用でき、例えば書斎として利用することもでき、また、収納空間部１０ｂは、収納容積を大きくすることができるから、収納スペースとしてだけでなく、トイレ用等としても利用することもできる。
【００２６】
（第２実施形態）
図３は、本発明の第２実施形態に係る階段構造Ａ２の階段空間Ｓの断面図である。この階段構造Ａ２では、階段本体１の第１階段部１ａがその階段空間Ｓの一方側（図３において左側）の壁３に接して設けられるとともに、第２階段部１ｂが他方の壁３側（図３において右側）に接して設けられていて、踊り場１ｃの面積が大きくなるように構成されている。そして、両階段部１ａ，１ｂの間には、収納空間部１０ａ，１０ｂ，１０ｃが形成されている。
【００２７】
第１実施形態と同様に、収納空間部１０ａは、本発明の第一の収納空間部に相当し、踊り場１ｃの高さＦ３（図１参照）と同一高さの床が設けられるとともに、その踊り場１ｃ側には開口１３が形成され、開口１３には建具１３ａが設けられている。また、収納空間部１０ａの下側には、本発明の第二の収納空間部に相当する収納空間部１０ｂが設けられているとともに、収納空間部１０ａの上側には、本発明の第二の収納空間部に相当する収納空間部１０ｃが設けられているこれらの収納空間部１０ｂ，１０ｃには、階段本体と開口しない面（図３の下側の面）に開口１５，１７が形成され、これらの開口には建具１５ａ，１７ａが設けられている。
第２実施形態による階段構造Ａ２では、第１実施形態と同様の効果を奏する。
【００２８】
（第３実施形態）
図４（a）は、本発明の第３実施形態に係る階段構造Ａ３の階段空間Ｓの階段本体１の踊り場１ｃの位置から見たときの平面図、同図（ｂ）は、その二階部分の平面図である。
【００２９】
第３実施形態による階段構造Ａ３は、階段本体１の第１階段部１ａが一方の壁３側（図４（a）において右側）に隣接し、この隣接している壁３に支持されているとともに、第２階段部１ｂが他方の壁３側（図４（a）において左側）から所定距離離間して設けられている柱４に支持されている。
また、第３実施形態では、階段本体の連続する２つの側面（図４において左側および上側の側面）と隣接するように収納空間部１０ａ，１０ｂ，１０ｃが形成されている。
このため、本発明の第一の収納空間部に相当する収納空間部１０ａには、階段本体に面する２つの面にそれぞれ開口１３，１３が形成され、これらの開口１３，１３に建具１３ａ，１３ａが設けられている。また、本発明の第二の収納空間部に相当する収納空間部１０ｃには、階段本体１と対向しない面に開口１７が形成され、開口１７に建具１７ａが設けられている。
【００３０】
第３実施形態による階段構造Ａ３では、第１実施形態と同様の効果を奏するとともに、収納空間部１０ａ，１０ｂ，１０ｃを広く確保することができる。
また、収納空間部１０ａ，１０ｂ，１０ｃを広く確保することができる。このため、居住者の要求に応じた収納スペースに容易に形成することができる。
また、これらの収納空間部１０ａ，１０ｂ，１０ｃは、収納スペースとしてだけでなく、必要に応じてトイレ、洗面等の小空間等に利用することができ、また、収納空間部１０ａ，１０ｂ，１０ｃを貫通する吹抜け空間を形成すれば、この吹抜け空間を給排水管や電線等を容易に敷設することができる。
【００３１】
（第４実施形態）
図５（a）は、本発明の第４実施形態に係る階段構造Ａ４の階段空間Ｓの一階部分の平面図、同図（ｂ）は、階段本体１の踊り場１ｃの位置から見たときの平面図、同図（ｃ）は、その二階部分の平面図である。
【００３２】
この階段構造Ａ４は、階段空間Ｓ内の階段本体１の構成は上述した第３実施形態の階段構造Ａ３と同様に設けられている。この階段構造Ａ４においては、階段空間Ｓ内に一階および二階に貫通するシャフトスペース２０が設けられている。すなわち、このシャフトスペース２０は、階段本体１の設置個所と対向する壁３の一部分に設けられていて、配線スペース２０ａおよび配管スペース２０ｂで構成されている。そして、このシャフトスペース２０の階段構造Ａ４の一階に設けられる収納空間部１０ｄに位置する箇所には、配電盤２１が設置されるように構成されている（図５（ａ）参照）。
【００３３】
図５（ａ）〜（ｃ）には、上記シャフトスペース２０の設置状態以外に、各層に設けられる収納空間部１０ｄ〜１０ｇの設置状態が示されている。
図５（ａ）に示される階段構造Ａ４の一階には、収納空間部１０ｄが設けられており、この階段構造Ａ４を踊り場１ｃの位置から見た図５（ｂ）には、この踊り場１ｃから出入り可能な本発明の第一の収納空間部に相当する収納空間部１０ｅが設けられており、そして、この階段構造Ａ４を二階から見た図５（ｃ）には、収納空間部１０ｅの上部に本発明の第二の収納空間部に相当する収納空間部１０ｆが設けられているとともに、収納空間部１０ｄの上部にトイレ２１と、収納空間部１０ｇが設けられている。
【００３４】
第４実施形態による階段構造Ａ４は、上述した階段構造Ａ３と同様に、多くの用途に使用できる収納空間部を有することができるとともに、シャフトスペース２０を設けることができるため、階段構造Ａ４の一層の有効利用が図られる。しかも、シャフトスペース２０の設置個所が階段構造Ａ４の空間部であるから、給排水管や電線等の保守管理が容易となる等の効果を得ることもできる。
【００３５】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
例えば、上述した実施形態では、本発明の第一の収納空間部に相当する収納空間部１０ａ，１０ｅの上側および下側に本発明の第二の収納空間部に相当する収納空間部１０ｂ，１０ｃ，１０ｆが設けられているが、第二の収納空間部に相当する収納空間部１０ｂ，１０ｃ，１０ｆは、設けられていなくてもよい。
また、上述した実施形態では、階段本体１は、踊り場１ｃを有しているが、踊り場１ｃのない階段としてもよい。
また、上述した実施形態では、上側に設けられた収納空間部の床がその下側に設けられた収納空間部の天井を兼ねた直天井としているが、上側に設けられた収納空間部の床の下に、下側の収納空間部の天井材が設けられていてもよい。
また、上述した第３実施形態および第４実施形態では、壁３から離間するとともに、階段本体１と収納空間部１０ａ，１０ｅとの間に柱４が設けられているが、柱４が設けられていなくてもよい。
【符号の説明】
【００３６】
Ａ１〜Ａ４  階段構造
Ｂ  建物
Ｓ  階段空間
Ｒ  部屋
Ｆ１  一階の床板の高さ
Ｆ２  二階の床板の高さ
Ｆ３  踊り場の高さ
１  階段本体
１ａ  第１階段部
１ｂ  第２階段部
１ｃ  踊り場
２  胴差
３  壁
４  柱
１０ａ〜１０ｇ  収納空間部（１０ａ，１０ｅ  第一の収納空間部、１０ｂ，１０ｃ，１０ｆ  第二の収納空間部）
１１  床
１２  天井
１３  開口
２０  シャフトスペース
２０ａ  配線スペース
２０ｂ  配管スペース
２１  配電盤
【図１】
2015196952.tif 000003
【図２】
2015196952.tif 000004
【図３】
2015196952.tif 000005
【図４】
2015196952.tif 000006
【図５】
2015196952.tif 000007